(57)【要約】【課題】  部品点数が少なくて安価に作製することができ、マイクロホンの外形にほとんど影響を与えることがなく、しかも容易に減衰コンデンサを付け替えできるようにする。【解決手段】  振動板１２ａと固定極１２ｂとをスペーサを介して対向的に配置した振動板組立体１２をカートリッジケース１１内に収納してなるコンデンサマイクロホンユニット１０と、インピダーンス変換器，音声出力回路および成極電源供給回路を含むパワーモジュール部をマイク筐体２１内に収納してなるマイクロホン本体２０との間に着脱可能に介装され、振動板１２ａと固定極１２ｂとで構成されるコンデンサに対して並列的に接続される減衰用コンデンサを有するコンデンサマイクロホン用減衰器３０Ａにおいて、コンデンサマイクロホンユニット１０とマイクロホン本体２０との間に挟み込まれる回路基板３００を備え、回路基板３００に減衰用コンデンサ３０５を実装する。【選択図】  図１
2006287347.tif 000002
【特許請求の範囲】
【請求項１】
振動板と固定極とをスペーサを介して対向的に配置した振動板組立体をカートリッジケース内に収納してなるコンデンサマイクロホンユニットと、インピダーンス変換器，音声出力回路および成極電源供給回路を含むパワーモジュール部をマイク筐体内に収納してなるマイクロホン本体との間に着脱可能に介装され、上記振動板と固定極とで構成されるコンデンサに対して並列的に接続される減衰用コンデンサを有するコンデンサマイクロホン用減衰器において、
上記コンデンサマイクロホンユニットと上記マイクロホン本体との間に挟み込まれる回路基板を備え、上記回路基板に上記減衰用コンデンサが実装されていることを特徴とするコンデンサマイクロホン用減衰器。
【請求項２】
上記回路基板が両面回路基板で、上記回路基板の一方の面には、上記コンデンサマイクロホンユニット側の引出電極ロッドと接続される第１電極端子と、上記一方の面の周辺に環状に配置され、上記カートリッジケースと接続される第１接地端子とが形成されているとともに、上記回路基板の他方の面には、上記第１電極端子とスルーホール内配線を介して導通されていて上記パワーモジュール部側のリード端子と接続される第２電極端子と、上記他方の面の周辺に環状に配置され、スルーホール内配線を介して上記第１接地端子と導通されている第２接地端子とが形成されており、上記減衰用コンデンサが上記第２電極端子と上記第２接地端子との間に接続されている請求項１に記載のコンデンサマイクロホン用減衰器。
【請求項３】
振動板と固定極とをスペーサを介して対向的に配置した振動板組立体をカートリッジケース内に収納してなるコンデンサマイクロホンユニットと、インピダーンス変換器，音声出力回路および成極電源供給回路を含むパワーモジュール部をマイク筐体内に収納してなるマイクロホン本体とを備え、上記コンデンサマイクロホンユニットが上記マイクロホン本体に着脱可能であるとともに、それらの間に、上記振動板と固定極とで構成されるコンデンサに対して並列的に接続される減衰用コンデンサを有する減衰器が着脱可能に介装されるコンデンサマイクロホンにおいて、
上記減衰器が、上記減衰用コンデンサが実装されていて、上記コンデンサマイクロホンユニットと上記マイクロホン本体との間に挟み込まれる回路基板からなることを特徴とするコンデンサマイクロホン。
【発明の詳細な説明】
【技術分野】
【０００１】
本発明は、コンデンサマイクロホンユニットが交換可能なコンデンサマイクロホンに関し、さらに詳しく言えば、コンデンサマイクロホンユニットに所定の減衰量を付加するための減衰器に関するものである。
【背景技術】
【０００２】
コンデンサマイクロホンには、指向性の異なるコンデンサマイクロホンユニットを交換できるスティック型と呼ばれるコンデンサマイクロホンがある。この種のコンデンサマイクロホンでは、カージオイド，ハイパーカージオイド，無指向性，双指向性などのコンデンサマイクロホンユニットが用意され、収音の目的に応じてユニットが選択され、パワーモジュール部を内蔵したマイクロホン本体と組み合わせて使用される。
【０００３】
通常、この種のコンデンサマイクロホンでは、コンデンサマイクロホンユニットにはインピーダンス変換器（多くの場合、ＦＥＴ（電界効果トランジスタ））は含まれず、インピーダンス変換器はマイクロホン本体のパワーモジュール部側に設けられる。
【０００４】
コンデンサマイクロホンでは、大きな音が入力されると、音声出力回路で音声信号に歪みが発生する。これを防止するため、コンデンサマイクロホンユニットに並列にコンデンサ（減衰用コンデンサ）を接続して、インピーダンス変換器に入力される音声信号を減衰させる。
【０００５】
この音声信号を減衰させる減衰器をＰＡＤ（パッド）と称し、特に楽器などにマイクロホンを近接させて収音する場合に、それに応じた適正な減衰量を有する減衰器が用いられる。減衰器を使用したスティック型コンデンサマイクロホンの一例を図４と図５により説明する。図４は組立前の状態を示す分解図であり、図５は組立図である。
【０００６】
このコンデンサマイクロホンは、コンデンサマイクロホンユニット１０とマイクロホン本体２０とが着脱可能で、それらの間に減衰器３０が介装される。この例において用いられるコンデンサマイクロホンユニット１０は単一指向性ユニットで、前面側に前部音響端子の開口部１１ａを有し、側面に後部音響端子の開口部１１ｂを有する円筒状のカートリッジケース１１を備えている。カートリッジケース１１はアルミニウムや黄銅合金などの金属材からなる。
【０００７】
カートリッジケース１１内には、振動板１２ａと固定極１２ｂとを図示しないスペーサを介して対向的に配置してなる振動板組立体１２が前部音響端子の開口部１１ａ側に配置される。カートリッジケース１１の後端側には、雄ネジ１５ａを有する連結リング１５が一体的に取り付けられ、カートリッジケース１１の後端側の開口部および連結リング１５内は絶縁材１６ａ，１６ｂにより封止される。
【０００８】
これら絶縁材１６ａ，１６ｂの中央部分には、固定極１２ｂと電気的に接続される引出電極ロッド１３が貫設される。この例において、引出電極ロッド１３には、コイルバネ１３ｂにより付勢された出没可能な接触ピン１３ａが含まれる。
【０００９】
マイクロホン本体２０は、アルミニウムや黄銅合金などの金属材からなる円筒状のマイク筐体２１を備えている。マイク筐体２１の一端側（図４で上端側）には、上記連結リング１５の雄ネジ１５ａと螺合する雌ネジ２１ａが形成され、この雌ネジ２１ａの下方部分にリード端子２５が貫設された絶縁座２２が嵌合固定される。
【００１０】
マイク筐体２１の下端側には、出力コネクタ２３が装着される。出力コネクタ２３は、ＥＩＡＪ  ＲＣ−５２３６「音響機器用ラッチロック式丸型コネクタ」に規定されているコネクタで、接地端子ピン，信号のホット側端子ピンおよび信号のコールド側端子ピンの３ピンを備える。作図の都合上、図４にはそのうちの２本の端子ピン２３ａ，２３ｂのみが示されている。出力コネクタ２３は、図示しないファントム電源と接続される。
【００１１】
マイク筐体２１内には、回路基板２４が絶縁座２２と出力コネクタ２３との間で支持された状態で収納される。回路基板２４には、いずれも図示が省略されているが、インピーダンス変換器（ＦＥＴ），音声出力回路および成極電源供給回路を含むパワーモジュール部が実装される。なお、マイクロホン本体２０自体をパワーモジュール部と称することがある。
【００１２】
減衰器３０は、アルミニウムや黄銅合金などの金属材からなる円筒状のハウジング３１を備える。ハウジング３１の図４における上端側には、コンデンサマイクロホンユニット１０の上記連結リング１５の雄ネジ１５ａと螺合する雌ネジ３１ａが形成され、その下端側には、マイク筐体２１の上記雌ネジ２１ａと螺合する雄ネジ３４ａを有する連結リング３４が一体に形成される。連結リング３４の内部は絶縁材３６にて封止される。
【００１３】
ハウジング３１内には内挿基板３２が収納され、内挿基板３２には上記振動板１２ａと固定極１２ｂとにより形成されるコンデンサと並列的に接続される図示しない減衰用コンデンサが実装される。
【００１４】
内挿基板３２の中央部分には、上記引出電極ロッド１３の接触ピン１３ａと接触する電極パッド３５が設けられ、上記絶縁材３６の中央部分には、コイルバネ３３ｂを介して電極パッド３５と電気的に接続される接触ピン３３ａが出没可能に設けられる。接触ピン３３ａは、上記マイク筐体２１側のリード端子２５と接触する。
【００１５】
このスティック型コンデンサマイクロホンにおいて、減衰器３０を必要としない場合には、上記連結リング１５を上記マイク筐体２１の雌ネジ２１ａに螺合して、コンデンサマイクロホンユニット１０を直接的にマイクロホン本体２０に接続する。
【００１６】
これとは別に、例えば楽器などにマイクロホンを近接させて収音する場合には、その大きな音による音声信号の歪みが生じないようにするため、図５に示すように、コンデンサマイクロホンユニット１０とマイクロホン本体２０との間に減衰器３０を介在させ、上記振動板１２ａと固定極１２ｂとにより形成されるコンデンサに対して、減衰器３０内の図示しない減衰用コンデンサを並列的に接続する。
【００１７】
その減衰量は、減衰用コンデンサの静電容量に依存する。したがって、大きな減衰量が必要な場合には、静電容量が大である減衰用コンデンサを有する減衰器３０を選択することになる。
【発明の開示】
【発明が解決しようとする課題】
【００１８】
しかしながら、上記した従来例では、減衰器３０をコンデンサマイクロホンユニット１０とマイクロホン本体２０との間に介装するため、減衰器３０のハウジング３１の両端にネジ切り加工を必要とする。また、減衰器３０内にコンデンサマイクロホンユニット１０とマイクロホン本体２０とを接続するための中継ピン３３ａを必要とするため、コストアップは避けられない。
【００１９】
さらには、減衰器３０を使用した場合、減衰器３０はマイクロホンの外形の一部を構成することになる。したがって、意匠上の観点から、適用されるマイクロホンの外形と統一性を持たせるように、その外形や色調などを決める必要がある。
【００２０】
そればかりでなく、減衰用コンデンサがハウジング３１内の内挿基板３２上に実装されているため、減衰コンデンサの付け替えが難しく、仕様変更などに迅速に対応することができない、という問題がある。
【００２１】
したがって、本発明の課題は、部品点数が少なくて安価に作製することができ、マイクロホンの外形にほとんど影響を与えることがなく、しかも容易に減衰コンデンサを付け替えることができる減衰器を提供することにある。
【課題を解決するための手段】
【００２２】
上記課題を解決するため、請求項１に記載の発明は、振動板と固定極とをスペーサを介して対向的に配置した振動板組立体をカートリッジケース内に収納してなるコンデンサマイクロホンユニットと、インピダーンス変換器，音声出力回路および成極電源供給回路を含むパワーモジュール部をマイク筐体内に収納してなるマイクロホン本体との間に着脱可能に介装され、上記振動板と固定極とで構成されるコンデンサに対して並列的に接続される減衰用コンデンサを有するコンデンサマイクロホン用減衰器において、上記コンデンサマイクロホンユニットと上記マイクロホン本体との間に挟み込まれる回路基板を備え、上記回路基板に上記減衰用コンデンサが実装されていることを特徴としている。
【００２３】
本発明の好ましい態様によれば、請求項２に記載のように、上記回路基板が両面回路基板で、上記回路基板の一方の面には、上記コンデンサマイクロホンユニット側の引出電極ロッドと接続される第１電極端子と、上記一方の面の周辺に環状に配置され、上記カートリッジケースと接続される第１接地端子とが形成されているとともに、上記回路基板の他方の面には、上記第１電極端子とスルーホール内配線を介して導通されていて上記パワーモジュール部側のリード端子と接続される第２電極端子と、上記他方の面の周辺に環状に配置され、スルーホール内配線を介して上記第１接地端子と導通されている第２接地端子とが形成されており、上記減衰用コンデンサが上記第２電極端子と上記第２接地端子との間に接続される。
【００２４】
また、請求項３に記載の発明は、振動板と固定極とをスペーサを介して対向的に配置した振動板組立体をカートリッジケース内に収納してなるコンデンサマイクロホンユニットと、インピダーンス変換器，音声出力回路および成極電源供給回路を含むパワーモジュール部をマイク筐体内に収納してなるマイクロホン本体とを備え、上記コンデンサマイクロホンユニットが上記マイクロホン本体に着脱可能であるとともに、それらの間に、上記振動板と固定極とで構成されるコンデンサに対して並列的に接続される減衰用コンデンサを有する減衰器が着脱可能に介装されるコンデンサマイクロホンにおいて、上記減衰器が、上記減衰用コンデンサが実装されていて、上記コンデンサマイクロホンユニットと上記マイクロホン本体との間に挟み込まれる回路基板からなることを特徴としている。
【発明の効果】
【００２５】
本発明によれば、コンデンサマイクロホンユニットとマイクロホン本体との間に挟み込まれる回路基板に減衰用コンデンサを実装したきわめて簡単な構成であるため、安価に作製することができる。また、コンデンサマイクロホンユニットとマイクロホン本体との間に挟み込まれマイクロホンの外形に表れないため、外観が異なる機種のコンデンサマイクロホンに意匠上の違和感を与えることなく、共用させることができる。さらには、減衰用コンデンサの付け替えも簡単にできるため、減衰器の仕様変更などに迅速に対応することができる。
【発明を実施するための最良の形態】
【００２６】
次に、図１ないし図３により、本発明の実施形態について説明するが、本発明はこれに限定されるものではない。図１は本発明による減衰器を備えたコンデンサマイクロホンを分解して示す分解断面図，図２（ａ）〜（ｃ）は本発明による減衰器の平面図，縦断面図および底面図，図３は上記コンデンサマイクロホンの組立状態を示す断面図である。
【００２７】
まず、図１を参照して、このコンデンサマイクロホンは、コンデンサマイクロホンユニット１０とマイクロホン本体２０とが着脱可能で、それらの間に必要に応じて減衰器３０Ａが介装される。
【００２８】
コンデンサマイクロホンユニット１０は、先の図４で説明した従来例と同じであってよい。すなわち、この例でのコンデンサマイクロホンユニット１０は単一指向性ユニットで、前面側に前部音響端子の開口部１１ａを有し、側面に後部音響端子の開口部１１ｂを有する円筒状のカートリッジケース１１を備えている。カートリッジケース１１はアルミニウムや黄銅合金などの金属材からなる。
【００２９】
カートリッジケース１１内には、振動板１２ａと固定極１２ｂとを図示しないスペーサを介して対向的に配置してなる振動板組立体１２が前部音響端子の開口部１１ａ側に配置される。カートリッジケース１１の後端側には、雄ネジ１５ａを有する連結リング１５が一体的に取り付けられ、カートリッジケース１１の後端側の開口部および連結リング１５内は絶縁材１６ａ，１６ｂにより封止される。
【００３０】
これら絶縁材１６ａ，１６ｂの中央部分には、固定極１２ｂと電気的に接続される引出電極ロッド１３が貫設される。この例において、引出電極ロッド１３には、コイルバネ１３ｂにより付勢された出没可能な接触ピン１３ａが含まれる。なお、振動板１２ａはカートリッジケース１１側に接続される。
【００３１】
マイクロホン本体２０も、先の図４で説明した従来例と同じであってよく、アルミニウムや黄銅合金などの金属材からなる円筒状のマイク筐体２１を備えている。マイク筐体２１の一端側（図１で上端側）には、上記連結リング１５の雄ネジ１５ａと螺合する雌ネジ２１ａが形成され、この雌ネジ２１ａの下方部分にリード端子２５が貫設された絶縁座２２が嵌合固定される。
【００３２】
マイク筐体２１の下端側には、出力コネクタ２３が装着される。出力コネクタ２３は、ＥＩＡＪ  ＲＣ−５２３６「音響機器用ラッチロック式丸型コネクタ」に規定されているコネクタで、接地端子ピン，信号のホット側端子ピンおよび信号のコールド側端子ピンの３ピンを備えるが、作図の都合上、図１にはそのうちの２本の端子ピン２３ａ，２３ｂのみが示されている。出力コネクタ２３は、平衡シールドケーブルを介してファントム電源（ともに図示省略）と接続され、接地端子ピンは、そのシールド被覆線とマイク筐体２１とに接続される。
【００３３】
マイク筐体２１内には、回路基板２４が絶縁座２２と出力コネクタ２３との間で支持された状態で収納される。回路基板２４には、いずれも図示が省略されているが、インピーダンス変換器（ＦＥＴ），音声出力回路および成極電源供給回路を含むパワーモジュール部が実装される。なお、マイクロホン本体２０自体をパワーモジュール部と称することがある。
【００３４】
本発明において、減衰器３０Ａは、図２（ａ）〜（ｃ）に示すように、円盤状に打ち抜かれた回路基板３００を備える。その大きさは、コンデンサマイクロホンユニット１０の連結リング１５の外径（マイクロホン本体２０の雌ネジ２１ａの内径）とほぼ同一であり、この回路基板３０３は、コンデンサマイクロホンユニット１０とマイクロホン本体２０との間に挟み込まれる。
【００３５】
回路基板３００は両面回路基板で、図２（ａ）に示すように、その一方の面（コンデンサマイクロホンユニット１０側の面）３０１の中央部分には、上記引出電極ロッド１３の接触ピン１３ａと接触する第１電極端子３１０が形成される。また、回路基板３０１の一方の面３０１の周辺には、上記カートリッジケース１１の連結リング１５の端面と接触する第１接地端子３１１が環状に形成される。
【００３６】
図２（ｃ）に示すように、回路基板３００の他方の面（マイクロホン本体２０側の面）３０２の中央部分には、上記リード端子２５と接触する第２電極端子３２０が形成されるとともに、回路基板３００の他方の面３０２の周辺にも、第２接地端子３２１が環状に形成される。
【００３７】
第１電極端子３１０，第２電極端子３２０，第１接地端子３１１および第２接地端子３２１は、そのいずれもが例えば銅箔材により形成されてよく、第１電極端子３１０，第２電極端子３２０はスルーホール内配線３０３により互いに導通され、また、第１接地端子３１１および第２接地端子３２１も、スルーホール内配線３０４により互いに導通状態とされる。
【００３８】
図２（ｂ）（ｃ）に示すように、減衰用コンデンサ３０５は、好ましくはチップ部品として、回路基板３００の他方の面３０２において、第２電極端子３２０と第２接地端子３２１との間に接続される。
【００３９】
上記した構成において、減衰器３０Ａを使用する場合には、減衰器３０Ａをマイクロホン本体２０の雌ネジ２１ａ内の絶縁座２２上に配置したのち、コンデンサマイクロホンユニット１０の連結リング１５を上記雌ネジ２１ａに螺合して強く締め付ける。
【００４０】
これにより、図３に示すように、コンデンサマイクロホンユニット１０の固定極１２ｂ側の接触ピン１３ａは、第１電極端子３１０，第２電極端子３２０およびマイクロホン本体２０のリード端子２５を介して図示しないインピーダンス変換器（ＦＥＴ）と接続される。
【００４１】
また、コンデンサマイクロホンユニット１０のカートリッジケース１１は、マイクロホン本体２０の接地側であるマイク筐体２１に電気的に接続され、マイク筐体２１とともにシールドケースとして機能する。
【００４２】
そして、減衰用コンデンサ３０５の一方の極は、第２電極端子３２０，第１電極端子３１０および接触ピン１３ａを介して固定極１２ｂに接続され、他方の極は、第２接地端子３２１，第１接地端子３１１およびカートリッジケース１１を介して振動板１２ａに接続され、これにより、減衰用コンデンサ３０５が、振動板１２ａと固定極１２ｂとで形成されるコンデンサに対して並列に接続され、上記インピーダンス変換器に入力される音声信号が減衰される。その減衰量は、減衰用コンデンサ３０５の静電容量に依存する。
【００４３】
本発明による減衰器３０Ａは、回路基板３００に減衰用コンデンサ３０５を実装しただけの簡素な構成であるため、きわめて安価に作製することができる。また、図３に示すように、コンデンサマイクロホンユニット１０とマイクロホン本体（パワーモジュール部）２０との間に挟み込まれるため、減衰器３０Ａを使用しない場合と外観上まったく差がでない。さらには、減衰用コンデンサ３０５の付け替えを容易にできるため、仕様変更などに迅速に対応することができる。
【００４４】
なお、上記実施形態では、減衰器３０Ａを回路基板３００のマイクロホン本体２０側の他方の面３０２に配置するようにしているが、減衰器３０Ａを回路基板３００のコンデンサマイクロホンユニット１０側の一方の面３０１において、その第１電極端子３１０と第１接地端子３１１との間に接続するようにしてもよい。この態様も本発明に含まれるが、その場合には、他方の面３０２側の第２接地端子３２１は省略することができる。
【図面の簡単な説明】
【００４５】
【図１】本発明による減衰器を備えたコンデンサマイクロホンを分解して示す分解断面図。
【図２】（ａ）本発明による減衰器の一例を示す平面図，（ｂ）その縦断面図，（ｃ）底面図。
【図３】図１のコンデンサマイクロホンの組立状態を示す断面図。
【図４】従来の減衰器を備えたコンデンサマイクロホンを示す分解断面図。
【図５】図４のコンデンサマイクロホンの組立状態を示す断面図。
【符号の説明】
【００４６】
１０  コンデンサマイクロホンユニット
１１  カートリッジケース
１２  振動板組立体
１２ａ  振動板
１２ｂ  固定極
１３  引出電極ロッド
１３ａ  接触ピン
１５  連結リング
２０  マイクロホン本体
２１  マイク筐体
２３  出力コネクタ
２４  回路基板
２５  リード端子
３０Ａ  減衰器
３００  回路基板
３０５  減衰用コンデンサ
３１０，３２０  電極端子
３１１，３２１  接地端子
【図１】
2006287347.tif 000003
【図２】
2006287347.tif 000004
【図３】
2006287347.tif 000005
【図４】
2006287347.tif 000006
【図５】
2006287347.tif 000007